(57)【要約】【課題】無電源でもワンアクションで十分な送信電力を得ることができる使い勝手性に優れた無線式リモコン装置を提供する。【解決手段】無線式リモコン装置１を、スイッチケース２内に一端部が固定され、他端部が支持杆３の中間部に固定されてなる固定杆４と、上記支持杆３の両端部に固定された鋼球５，６と、一方の鋼球６が揺動する範囲内に配設された圧電発電装置２１と、上記他方の吸磁性を有する鋼球５に吸着可能なマグネット８を一端部に有する作動体９と、該作動体９の他端部を操作スイッチ部９Ａとして回転自在に支持する支点Ｏと、を備えて構成した。【選択図】図１
2005130395.tif 000002
【特許請求の範囲】
【請求項１】
スイッチケース内に一端部が固定され、他端部が支持杆の中間部に固定されてなる固定杆と、上記支持杆の両端部に固定された鋼球と、一方の鋼球が揺動する範囲内に配設された圧電発電装置と、上記他方の吸磁性を有する鋼球に吸着可能な磁性体を一端部に有する作動体と、該作動体の他端部を操作スイッチ部として回転自在に支持する支点と、を備えて構成され、上記操作スイッチ部を押圧することで、上記他方の鋼球を上記磁性体が吸着したまま上記鋼球の重量及び支持杆の弾性限界まで持ち上げた後、上記磁性体による上記吸着状態が解除され、上記他方の鋼球が振り子状に往復振動することで、一方の鋼球が共振動を開始し、該一方の鋼球が往復振動する度に圧電発電装置の圧電素子を連続的に殴打して発電し、該発電による電源で、無線送信部を作動させることを特徴とする無線式リモコン装置。
【請求項２】
前記支持杆は、バネ材で形成されていることを特徴とする請求項１に記載の無線式リモコン装置。
【発明の詳細な説明】
【技術分野】
【０００１】
この発明は、無電源でもワンアクションで十分な送信電力を得ることができる無線式リモコン装置に関する。
【背景技術】
【０００２】
近年、建物のドアや窓、或はテレビやエアコン等に家電製品、車両ドアの開閉装置等には、例えば、特許文献１や特許文献２等に示されているような無線リモコン装置が多く用いられている。
【０００３】
【特許文献１】特開平７−１６２９６６号公報
【０００４】
【特許文献２】特開２０００−３２４５７５号公報
【発明の開示】
【発明が解決しようとする課題】
【０００５】
しかしながら、上記従来の無線式リモコン装置は、その電源を専ら乾電池に頼る構成であるため、電池切れ等によって使用不能となるケースがまま有り、また、その電池の寿命管理も難しいため、非常に使い勝手が悪い、という問題を有していた。
【０００６】
また、このような問題を解決するものとして、自己発電能力を有する無線式リモコン装置も提案されてはいるが、従来の構造からなるこの種のものにあっては、送信能力を賄う電力をチャージするには、多大の労力を必要とし、これも使い勝手が悪い、という課題を有していた。
【０００７】
この発明は、かかる現状に鑑み創案されたものであって、その目的とするところは、無電源でもワンアクションで十分な送信電力を得ることができる使い勝手性に優れた無線式リモコン装置を提供しようとするものである。
【課題を解決するための手段】
【０００８】
上記目的を達成するため、この発明に係る無線式リモコン装置は、請求項１に記載したように、スイッチケース内に一端部が固定され、他端部が支持杆の中間部に固定されてなる固定杆と、上記支持杆の両端部に固定された鋼球と、一方の鋼球が揺動する範囲内に配設された圧電発電装置と、上記他方の吸磁性を有する鋼球に吸着可能な磁性体を一端部に有する作動体と、該作動体の他端部を操作スイッチ部として回転自在に支持する支点と、を備えて構成され、上記操作スイッチ部を押圧することで、上記他方の鋼球を上記磁性体が吸着したまま上記鋼球の重量及び支持杆の弾性限界まで持ち上げた後、上記磁性体による上記吸着状態が解除され、上記他方の鋼球が振り子状に往復振動することで、一方の鋼球が共振動を開始し、該一方の鋼球が往復振動する度に圧電発電装置の圧電素子を連続的に殴打して発電し、該発電による電源で、無線送信部を作動させることを特徴とするものである。
【０００９】
また、請求項２に記載の発明にあっては、請求項１に記載の無線式リモコン装置の前記支持杆を、バネ材で形成したことを特徴とする。
【発明の効果】
【００１０】
この発明に係る無線式リモコン装置は、請求項１に記載したように構成されているので、無電源でもワンアクションで十分な送信電力を得ることができ、使い勝手性が大幅に向上する他、構造が簡易なので、故障も少なく低コストで提供することができる等の優れた効果が得られる。
【００１１】
また、請求項２に記載の発明にあっては、両端部に鋼球が固定される支持杆をバネ材で形成したので、鋼球の振動を長時間継続させることが可能となり、ワンアクションであっても、十分な発電力を得ることができ、また、発電のための操作ストロークが短くて済むため、操作スイッチの操作力を非常に軽くすることができる、という効果を得ることができる。
【発明を実施するための最良の形態】
【００１２】
以下、添付図面に示す発明の実施例１に基づき、この発明を詳細に説明する。
【実施例１】
【００１３】
図１は、この発明の実施例１に係る無線式リモコン装置１の概略的な構成を示している。
【００１４】
この実施例１に係る無線式リモコン装置１は、スイッチケース２内に一端部が固定され、他端部が支持杆３の中間部に固定されたバネ材で形成されてなる固定杆４と、これもバネ材で形成されてなる上記支持杆３の両端部に固定された鋼球５，６と、一方の鋼球６が揺動する範囲内に配設された圧電発電装置の圧電発電部２１と、上記他方の吸磁性を有する鋼球５に吸着可能なマグネット８を一端部に有する作動体９と、該作動体９の他端部を操作スイッチ部９Ａとして回転自在に支持する支点Ｏと、上記圧電発電部２１で発電された電力によって作動する送信機１０と、から構成されている。
【００１５】
上記スイッチケース２内には、図２に示すように、圧電発電装置を構成する上記圧電素子発電部２１と、整流回路２２と、が配設されている。また、送信機１０の送信回路部１６は、制御部２３と発信部２４とアンテナ２５と、から構成されている。
【００１６】
上記圧電発電部２１を構成する圧電素子は、クッション材２９によって柔構造で保持されている。尚、この圧電素子は、この実施例１では、ＰＺＴ系の２枚の板状圧電セラミックス板を分極が互いに逆になるように接合して、直列に接続された発電構成とし、分極による打消しを防止し発電性能が高められるように構成されている。
【００１７】
この圧電セラミックス板は、チタンジルコン酸亜鉛系の素材が用いられ、また、クッション材２９としては、合成樹脂材、ゴム材或はこれらをスポンジ状に形成した軟質材料を用いることができ、具体的には、発泡ポリエチレンが好適である。さらに、この実施例１では、鋼球５，６を、圧電素子を破壊しない程度に重量が重く発電効率が良好なタングステンや鉄などを用い、また、圧電素子の鋼球衝突面部をプロテクタでコーティングしてもよく、この場合には、加工性に優れたリン青銅やステンレス等の硬い金属或は合成樹脂などを用いることができる。
【００１８】
さらに、この圧電素子は、上記クッション材２９の中央部分又は両端部に接着剤で部分的に接着されている。勿論、接着剤以外の固定手段で固着してもよい。
【００１９】
整流回路２２は、圧電素子発電部２１で出力された交流電力を整流して脈流にする回路であり、所要数のダイオードで全波整流の回路が形成される。
【００２０】
制御部２３は、無線式リモコンに配設された各種動作選択スイッチの情報を、図１に示す公知の構成からなる受信器１１へと送信するように制御する回路である。
【００２１】
また、発信部２４は、特に図示はしないが、通信制御手段と信号スイッチ手段と信号発生手段とを有して構成されている。この内、通信制御手段は通信に必要な動作を行う手段であり、電力が後記する方法で供給されることでその動作を開始して信号スイッチ手段をＯＮ作動させると共に、発信のためのデータを信号発生手段へと送る。
【００２２】
この発信のためのデータとしては、少なくとも、当該無線式リモコン装置に与えられた各種ＩＤデータが含まれる。
【００２３】
また、上記信号発生手段は、上記通信制御手段から受け取った発信のためのデータを所定の無線信号に変換してアンテナ２５から発信する。勿論、この実施例１では、本無線式リモコン装置がバッテリーを備えて構成されている場合には、上記通信制御手段が発信のために必要なデータを全て信号発生手段へと送り終えた後、該通信制御手段が作動して、放電を停止させるように制御するのが望ましい。
【００２４】
このように構成されてなる発電部１５は、発電された電流を整流回路２２で整流して発信回路部１６を作動させ、該発信回路部１６は、特定の周波数からなる電波（各種動作選択モード信号）を、例えば、テレビやリモコン等の家庭電化製品等の受信機３１へと送信する。
【００２５】
尚、この実施例１では、圧電素子が応力を受け発電すると略同時に受信器３１が作動して信号を発信するように構成されているが、この発明にあってはこれに限定されるものではなく、より安定した電波信号を送信できるようにする場合には、本無線リモコン装置を作動させて消費した余剰の電流を随時バッテリーに蓄電するように構成してもよい。
【００２６】
この場合には、特に図示はしないが、前記整流回路２２で得られた脈流を直流として充電するコンデンサからなる充電手段と、この充電手段の充電量を圧電素子の発電のタイミングに応じて間歇的に監視し上記充電手段の充電量が発信可能なレベルに達っしているかを判定する判定手段と、上記発信部２４に電力を供給する自己保持型電流スイッチを付設して構成するのが望ましい。
【００２７】
次に、このように構成されてなる無線式リモコン装置１で発電する場合について説明すると、先ず、上記操作スイッチ部９Ａを押圧することで、上記鋼球５をマグネット８が吸着したまま、上記鋼球５の重量及び支持杆３の弾性限界まで持ち上げた後、上記マグネット８による上記吸着状態が解除され、上記鋼球５が振り子状に往復振動する。
【００２８】
これにより、一方の鋼球６が共振動を開始し、該鋼球６が往復振動する度に圧電発電部２１の圧電素子を連続的に殴打するので、該圧電素子は歪み変形して発電し、該発電による電力で、上記無線送信部１０が作動可能状態にセットされ所定のデータを送信する。尚、無線送信部１０が作動可能状態であるかを判別できるように、例えば、ＬＥＤを発光させる等の手段を付設して構成するのが望ましい。
【００２９】
尚、上記実施例１では、この発明を家庭用電化製品の無線式リモコン装置１に適用した場合を例にとり説明したが、この発明にあってはこれに限定されるものではなく、例えば、建物や車両の開閉体を開閉制御する無線式リモコン装置等、無線式リモコン制御が可能な分野にも適宜設計変更して適用することができる。
【図面の簡単な説明】
【００３０】
【図１】この発明の実施例１に係る無線式リモコン装置の概略的な構成を示す説明図である。
【図２】同圧電発電装置の圧電発電部の構成例を示す断面図である。
【符号の説明】
【００３１】
１  無線式リモコン装置
２  スイッチケース
３  支持杆
４  固定杆
５，６  鋼球
８  マグネット（磁性体）
９  作動体
９Ａ  操作スイッチ部
１０  無線送信部
１１  受信機
１６  送信回路部
２１  圧電素子発電部
２２  整流回路
２３  制御部
２４  発信部
２５  アンテナ
【図１】
2005130395.tif 000003
【図２】
2005130395.tif 000004